(57)【要約】      （修正有）【課題】飯塊を包装した状態でも、シート状食品が湿気らない包装シートを提供する。【解決手段】展開状態にて、長方形の外フィルム２と前記外フィルム２の裏面側に配備された内フィルム３との間にシート状食品４を挟み、外フィルム２と内フィルム３を前記シート状食品４の外周で溶着して一体化してなる包装シート１であって、外フィルム２は、外側分断可能部２１を有し、内フィルム３は、外側分断可能部２１と対向する位置に内側分断可能部３１を有し、外側分断可能部２１と内側分断可能部３１の少なくとも一方は、薄肉化した破断可能部３３、３３を複数条形成してなる。【選択図】図１
2015051788.tif 000002
【特許請求の範囲】
【請求項１】
展開状態にて、長方形の外フィルム(２)と前記外フィルム(２)の裏面側に配備された内フィルム(３)との間にシート状食品(４)を挟み、前記外フィルム(２)と前記内フィルム(３)を前記シート状食品(４)の外周で溶着して一体化してなる包装シートであって、
前記外フィルム(２)は、外側分断可能部(21)を有し、
前記内フィルム(３)は、前記外側分断可能部(21)と対向する位置に内側分断可能部(31)を有し、
前記外側分断可能部(21)と前記内側分断可能部(31)の少なくとも一方は、薄肉化した破断可能部(33)(33)を複数条形成してなる、
ことを特徴とする包装シート。
【請求項２】
前記破断可能部(33)(33)は、１ｍｍ〜２０ｍｍの間隔を存して形成される、
請求項１に記載の包装シート。
【請求項３】
前記外側分断可能部(21)は、１条の破断可能部(23)であり、
前記内側分断可能部(31)は、２条の破断可能部(33)(33)である、
請求項１又は請求項２に記載の包装シート。
【請求項４】
前記外フィルム(２)及び前記内フィルム(３)は矩形に形成され、前記外側分断可能部(21)及び前記内側分断可能部(31)は、長手方向に沿って形成される、
請求項１乃至請求項３の何れかに記載の包装シート。
【請求項５】
請求項１乃至請求項４の何れかに記載の包装シートによって飯塊(５)を包装してなる包装飯塊。
【発明の詳細な説明】
【技術分野】
【０００１】
本発明は、内フィルムと外フィルムとの間にシート状食品を挟んで形成し、飯塊を包装することのできる包装シート及び包装飯塊に関するものである。
【背景技術】
【０００２】
コンビニエンスストア等で販売されているおにぎりなどの包装シートとして、外フィルムと内フィルムとの間にシート状海苔を挟んで形成した、三重構造のシートが広く知られている。
【０００３】
外フィルムは、幅方向の中央に外フィルムを分断するためのカットテープの如き分断可能部を有しており、内フィルムは２枚のフィルム片からなる。２枚の内フィルムは、フィルム片の内端が外フィルムの分断可能部上に重なるように外フィルムに熱溶着される(例えば、特許文献１参照)。
【０００４】
上記包装シートによって飯塊を包装した包装飯塊は、分断可能部によって外フィルムを２分し、分断された外フィルムの一方を外側に引っ張ることで、この外フィルムに熱溶着された内フィルムの一方のフィルム片が一緒に引っ張り出される。
【０００５】
続けて、他方の外フィルムを外側に引っ張って、残された内フィルムのフィルム片と共に引っ張り出すことで、シート状食品が直に巻き付いた飯塊を得ることができ、これを食することができる。
【先行技術文献】
【特許文献】
【０００６】
【特許文献１】特開２００２−１０１８３２号公報
【発明の概要】
【発明が解決しようとする課題】
【０００７】
内フィルムは、フィルム片の内端どうしを単に重ねただけであるから、水分を多く含有する飯塊と長時間接していると、フィルム片どうしの重なり部から水分が包装シート内に入り込み、シート状食品が湿気ってしまうことがあり、食感が悪くなる。
【０００８】
本発明の目的は、飯塊を包装した状態でも、シート状食品が湿気らない包装シートを提供することである。
【課題を解決するための手段】
【０００９】
本発明に係る包装シート(１)は、
展開状態にて、長方形の外フィルム(２)と前記外フィルム(２)の裏面側に配備された内フィルム(３)との間にシート状食品(４)を挟み、前記外フィルム(２)と前記内フィルム(３)を前記シート状食品(４)の外周で溶着して一体化してなる包装シートであって、
前記外フィルム(２)は、外側分断可能部(21)を有し、
前記内フィルム(３)は、前記外側分断可能部(21)と対向する位置に内側分断可能部(31)を有し、
前記外側分断可能部(21)と前記内側分断可能部(31)の少なくとも一方は、薄肉化した破断可能部(33)(33)を複数条形成してなる。
【００１０】
また、本発明に係る包装飯塊は、上記包装シート(１)によって飯塊(５)を包装してなる。
【発明の効果】
【００１１】
本発明に係る包装シート(１)は、複数条形成された薄肉の破断可能部(33)によって、外フィルム(２)及び／又は内フィルム(３)を分断可能としている。破断可能部(33)(33)は、フィルムを貫通することなく水密に形成されるから、破断可能部(33)(33)を通じて水分が侵入することはなく、シート状食品(４)が湿気ることはなく、乾燥状態を維持できる。また、破断可能部(33)(33)は、フィルムを破断可能部(33)(33)に対して略垂直な方向に引っ張ったときに、破断可能部(33)(33)からフィルムを容易に裂くことができ、さらに、この破断可能部(33)(33)を複数条としたことで、破断中に破断可能部(33)から逸れて破断したとしても、その裂け目(35)が隣りの破断可能部(33)に届いて、当該破断可能部(33)が裂けていくから、上手くフィルムを分断することができる。
【００１２】
本発明の包装シート(１)により飯塊(５)を包装してなる包装飯塊(６)は、シート状食品(４)が乾燥状態を維持できるから、包装を解いた後の見た目もよく、また、食感にもすぐれる。
【図面の簡単な説明】
【００１３】
【図１】図１は、本発明に係る包装シートであって、内フィルムに２条、内フィルムに１条の破断可能部を形成した包装シートの分解斜視図である。
【図２】図２は、飯塊（三角おにぎり）を本発明に係る包装シートに載せた斜視図である。
【図３】図３は、図２の線Ａ−Ａに沿う断面図である。
【図４】図４は、本発明に係る包装シートにより飯塊を包装する手順を示す斜視図である。
【図５】図５は、図４に続く包装手順を示す斜視図である。
【図６】図６は、図５に続く包装手順を示す斜視図である。
【図７】図７は、本発明に係る包装シートにより飯塊を包装してなる包装飯塊の斜視図である。
【図８】図８は、包装飯塊の包装を解く手順を示す斜視図である。
【図９】図９は、図８に続く包装を解く手順を示す斜視図である。
【図１０】図１０は、図９に続く包装を解く手順を示す斜視図である。
【図１１】図１１は、分断された包装シートを展開して示す説明図である。
【図１２】図１２は、外フィルムに２条、内フィルムに１条の破断可能部を形成した包装シートの断面図である。
【図１３】図１３は、外フィルム及び内フィルムに夫々２条の破断可能部を形成した包装シートの断面図である。
【発明を実施するための形態】
【００１４】
以下、図面を参照しながら本発明の包装シート(１)及び該包装シート(１)により飯塊(５)を包装してなる包装飯塊について説明する。
【００１５】
図１乃至図３に示すように、本発明の包装シート(１)は、外フィルム(２)、シート状食品(４)、内フィルム(３)を重ねて構成される。外フィルム(２)と内フィルム(３)は、図２及び図３に示すように、シート状食品(４)の周縁に熱溶着(11)が施されて一体化している。
【００１６】
外フィルム(２)及び内フィルム(３)は、矩形のものを採用することができる。図示の実施例では、外フィルム(２)及び内フィルム(３)は、長さ約２７ｃｍ、幅長さ約１６ｃｍの矩形のフィルムである。なお、外フィルム(２)及び内フィルム(３)は角部を落とした多角形形状とすることもできる。また、大きさは上記に限定されるものではない。
【００１７】
外フィルム(２)は、外フィルム(２)を全長又は全幅に亘って方向に裂くことのできる外側分断可能部(21)を有している。外側分断可能部(21)は、外フィルム(２)の幅方向又は長手方向の略中央に形成することができるし、中央からズレた位置に形成することもできる。図示の実施例では、外側分断可能部(21)は、外フィルム(２)の幅方向略中央に、外フィルム(２)の全長に亘って形成している。
【００１８】
外側分断可能部(21)は、加熱されたコテ、回転丸刃、ローラなどにより、図３に示すように外フィルム(２)を薄肉化した破断可能部(23)とすることができる。破断可能部(23)は、外フィルム(２)を左右に引っ張ることで外フィルム(２)を２つに分断することができる。
【００１９】
内フィルム(３)は、図１乃至図３に示すように、外フィルム(２)と略同一形状のフィルムであり、飯塊(５)と当接するから、飯塊(５)に対する乖離性の高い材料を用いることが好適である。たとえば、内フィルム(３)として、凹部と凸部が均一に分布したエンボスフィルムを用いることもできる。これにより、飯塊(５)に当接する内フィルム(３)に飯粒が付着することを防止でき、スムーズに包装を解くことができる。
【００２０】
図１乃至図３に示すように、外フィルム(２)の外側分断可能部(21)と対向する位置に内側分断可能部(31)を有する。内側分断可能部(31)は、図３に示すように、内フィルム(３)を薄肉化した複数条の破断可能部(33)(33)である。図示の実施例では、破断可能部(33)は２条である。破断可能部(33)(33)は、加熱されたコテ、回転丸刃、ローラなどにより形成することができる。破断可能部(33)(33)は、内フィルム(３)を左右に引っ張ることで、何れか又は両方が裂けて、内フィルム(３)を２つに分断することができる。
【００２１】
破断可能部(33)(33)は、１ｍｍ〜２０ｍｍの間隔を存して形成することが好適である。より望ましくは、破断可能部(33)(33)は、３ｍｍ〜１０ｍｍの間隔を存して形成する。
【００２２】
シート状食品(４)は、シート状海苔を例示できる。シート状食品(４)は、外フィルム(２)の裏面側の略中央に載せられている。シート状食品(４)は、略長方形のものを用いることができるが、長方形の角部が面取りされた形状のものを用いたり、長手方向の端部が丸く面取りされた形状のものを用いることもできる。図示の実施例では、シート状食品の長手方向の長さは約１９ｃｍ、幅方向の長さが約１０ｃｍである。
【００２３】
シート状食品(４)は、シート状海苔に限らず、薄手の食品であれば、鯣を薄く伸ばしたものや、おぼろ昆布をシート状に形成したものを採用することができる。
【００２４】
上記外フィルム(２)、シート状食品(４)及び内フィルム(３)は、図１に示すように、外フィルム(２)の裏面側の略中央にシート状食品(４)を載せ、その上から、内フィルム(３)を重ね、図２及び図３に示すように、シート状食品(４)を囲むように外フィルム(２)と内フィルム(３)の周縁を線状に熱溶着(11)することにより、包装シート(１)が作製される。なお、分断可能部(21)及び(31)には、熱溶着(11)は施さないことが望ましい。
【００２５】
シート状食品(４)が包装シート(１)中でズレないようにするために、図２に示すように、シート状食品(４)の幅方向両側に線状又は点状の熱溶着(12)を施したり、シート状食品(４)の長手方向の一端又は両端の近傍にて、１又は複数箇所にて点又は短線状の熱溶着(13)を施すことが望ましい。
【００２６】
作製された包装シート(１)は、分断可能部(21)又は(31)に薄肉化した破断可能部(21)又は(31)を採用しており、湿気等の侵入を防ぐことができるから、収容されたシート状食品(４)の乾燥状態を好適に維持できる。
【００２７】
上記包装シート(１)により包装される飯塊(５)は、白米やかやくご飯などを固めて、扁平形状にした塊である。飯塊(５)には、部分的あるいは全体的に胡麻等の振り掛け食品を振り掛けたり、具材を載せたり、具材を内部に挟むようにしてもよい。本実施形態では、飯塊(５)は三角形のおにぎりであるが、丸形のおにぎりや、四角形のおにぎりとすることもできる。
【００２８】
上記構成の包装シート(１)によって飯塊(５)を包装する手順を以下に記す。
まず、図２に示すように、内フィルム(３)側を上向きとした包装シート(１)に飯塊(５)を載せる。飯塊(５)の位置は、包装シート(１)の幅方向略中央であって、長手方向のやや上側とする。次に、図２の矢印Ｂで示す如く、飯塊(５)を包み込むように包装シート(１)を被せる。続いて、図４の矢印Ｃで示す如く、上側となった包装シート(１)の両角を飯塊(５)の周面に沿わせる。次に、図５の矢印Ｄで示す如く、包装シート(１)の下側の一方の角部を飯塊(５)に被せ、さらに、図６の矢印Ｅで示す如く、他方の部角を飯塊(５)に被せる。
【００２９】
その後、図６に示すように、包装シート(１)の端部をテープなどの止着手段(７)により止めることで、包装飯塊(６)を得ることができる。
【００３０】
本実施形態の止着手段(７)はテープであるが、製造年月日や内容物等を記載したラベルを用いたり、熱溶着により止着することもできる。
【００３１】
包装飯塊(６)の三角の２つの頂点から突出した端部は、図７に示すように上向きに折り曲げて、テープなどの止着手段(72)により止めることで、陳列時に包装飯塊(６)の座りを良くすることができる。止着手段(72)は、包装飯塊(６)の包装手順を示す矢印を印刷しておくことができる。また、止着していない頂点は、図７に示すように、熱溶着(74)を施して封止するようにしてもよい。
【００３２】
得られた包装飯塊(６)は、分断可能部(21)又は(31)に薄肉化した破断可能部(21)又は(31)を採用しており、湿気等の侵入を防ぐことができるから、収容されたシート状食品(４)の乾燥状態を好適に維持できる。特に、内側分断可能部(31)に複数条の破断可能部(33)を形成した場合、飯塊(５)の水分が破断可能部(33)から侵入することはないから、シート状食品(４)の乾燥状態を好適に維持できる。
【００３３】
上記包装飯塊(６)は、以下の手順でその包装を解くことができる。
先ず、図８に示すように、分断可能部(21)(31)を挟んで左右に位置する止着手段(72)(72)を剥がして角部を起こし、包装シート(１)の上から飯塊(５)を掴む。
【００３４】
続いて、起こした一方の角部を図９にて矢印Ｆで示すように幅方向に引っ張る。これにより、外側分断可能部(21)である破断可能部(23)と、内側分断可能部(31)である破断可能部(33)が裂けて、外フィルム(２)と内フィルム(３)が２つに分断される。
【００３５】
その後、図１０に示すように、飯塊(５)上に残った外フィルム(２)と内フィルム(３)を図１０の矢印Ｇに示すように引っ張って取り除くことで、シート状食品(４)に包まれた飯塊(５)を得ることができる。
【００３６】
破断可能部は１条であっても、包装シート(１)を幅方向に引っ張ったときに破断可能部に裂け目が入り、その裂け目が伸びていくことでフィルムは分断される。しかしながら、その裂け目の方向がズレてしまうと、フィルムが上手く分断できなくなることがある。
【００３７】
しかしながら、本発明では、分断可能部を複数条の破断可能部としている。従って、裂け目が途中でズレたとしても、隣の破断可能部に届いて当該破断可能部が裂ける結果、フィルムを上手く分断することができる。
【００３８】
特に、本実施例で示すように、内側分断可能部(31)を２条の破断可能部(33)(33)とすることが好適である。その理由として、内フィルム(２)は、飯塊(５)と当接しており、さらに、飯塊(５)とシート状食品(４)に挟まれているから、これらとの接触抵抗によって、裂け目の向きがズレてしまい易いからである。
【００３９】
裂け目の向きがズレた包装シート(１)の展開図を図１１に示している。図に示すように、裂け目(35)が破断可能部(33)からズレても、フィルムは上手く分断できていることがわかる。
【００４０】
上記実施例の説明は、本発明を説明するためのものであって、特許請求の範囲に記載の発明を限定し、或は範囲を減縮するように解すべきものではない。又、本発明の各部構成は上記一実施形態に限らず、特許請求の範囲に記載の技術的範囲内で種々の変形が可能であることは勿論である。
【００４１】
たとえば、図示及び上記説明では、外フィルム(２)と内フィルム(３)の両方の分断可能部(21)(31)を薄肉化した破断可能部(23)(33)としているが、何れか一方のフィルムの分断可能部が複数条の破断可能部であればよい。他方のフィルムの分断可能部については、破断可能部を採用する場合、１条又は複数条であってもよい。
【００４２】
図１２は、外フィルム(２)の外側分断可能部(21)に２条の破断可能部(23)(23)を採用し、内フィルム(３)の内側分断可能部(31)に１条の破断可能部(33)を採用した実施形態である。
【００４３】
また、図１３は、外側分断可能部(21)及び内側分断可能部(31)に夫々２条の破断可能部(23)(23)、(33)(33)を採用した実施形態である。
【００４４】
なお、本発明においては、少なくとも一方のフィルムの分断可能部を複数条の破断可能部とすればよく、他方のフィルムの分断可能部は、たとえば、ミシン目の如き断続的な切条とすることもできる。この場合、断続的な切条から湿気等が侵入することを防止するために、断続的な切条は細幅のフィルム片で覆うことが好適である。さらに、内側分断可能部(31)に複数条の破断可能部(33)を採用し、外側分断可能部(21)にはカットテープを採用することもできる。
【００４５】
さらに、上記実施例では、包装シート(１)によって包装される飯塊(５)は三角おにぎりであったが、棒状の飯塊であってもよい。この場合、包装シート(１)には、適宜棒状の飯塊の端面を覆う耳片を形成すればよい。また、飯塊(５)に限らず、五平餅やはんぺんなど、種々の食品を包装することができることは勿論である。
【符号の説明】
【００４６】
(１)  包装シート
(２)  外フィルム
(21)  外側分断可能部
(23)  破断可能部
(３)  内フィルム
(31)  内側分断可能部
(33)  破断可能部
(４)  シート状食品
(５)  飯塊
(６)  包装飯塊
【図１】
2015051788.tif 000003
【図２】
2015051788.tif 000004
【図３】
2015051788.tif 000005
【図４】
2015051788.tif 000006
【図５】
2015051788.tif 000007
【図６】
2015051788.tif 000008
【図７】
2015051788.tif 000009
【図８】
2015051788.tif 000010
【図９】
2015051788.tif 000011
【図１０】
2015051788.tif 000012
【図１１】
2015051788.tif 000013
【図１２】
2015051788.tif 000014
【図１３】
2015051788.tif 000015